(57)【要約】【課題】駆動レバーと位置決めピンが衝突する際の打音を低減する。【解決手段】駆動レバー３の一方の向きへの回動範囲を制限する位置決めピン８が設けられたリンク機構において、駆動レバー３には、位置決めピン８に当接する部位に、スリット３５により弾性変形を容易にした薄肉の板部３４を形成する。板部３４の弾性変形により、駆動レバー３と位置決めピン８との衝突時の衝撃が緩和または吸収されるため、駆動レバー３と位置決めピン８が衝突する際の打音を低減することができる。【選択図】図２
2010086173.tif 000002
【特許請求の範囲】
【請求項１】
ケース（２）に回動自在に装着された駆動レバー（３）と、前記ケース（２）に回動自在に装着されて前記駆動レバー（３）により駆動される従動レバー（４）とを備えるリンク機構において、
前記ケース（２）には、前記駆動レバー（３）と当接することにより、前記駆動レバー（３）の一方の向きへの回動範囲を制限する位置決めピン（８）が設けられ、
前記駆動レバー（３）は、前記位置決めピン（８）に当接する部位に、他の部位よりも容易に弾性変形する弾性変形部（３４）を備えることを特徴とするリンク機構。
【請求項２】
前記弾性変形部（３４）は、前記位置決めピン（８）に当接する部位の近傍にスリット（３５）を設けて形成された薄肉の板部であることを特徴とする請求項１に記載のリンク機構。
【請求項３】
前記弾性変形部（３４）は、片持ちばりの板部であることを特徴とする請求項１に記載のリンク機構。
【発明の詳細な説明】
【技術分野】
【０００１】
本発明は、駆動レバーの回動に伴って従動レバーが回動するリンク機構に関するもので、例えば車両用空調装置のドアの操作用として好適である。
【背景技術】
【０００２】
近年、車両の静粛性が向上したこともあり、車両用空調装置の異音、特に車室内に配置される空調ユニットの異音の低減要求が厳しくなってきている。
【０００３】
例えば車両用空調装置のドアを操作するために用いられるリンク機構は、従動レバーに形成したカム溝に、駆動レバーに設けたピンを挿入し、駆動レバーの回動に伴いピンがカム溝の摺動面を摺動して従動レバーを回動させるようになっている。また、駆動レバーの回動角に対する従動レバーの回動角が所定の関係になるようにカム溝の形状が設定され、上記の所定の関係を得るために、カム溝の途中部位に曲率が急変する急変部が形成されることが多々ある。そして、駆動レバーが回動してピンがカム溝の急変部に差し掛かった際に、ピンがカム溝内でがたつき、カム溝の摺動面に衝突して異音が発生するという問題がある。
【０００４】
そこで、特許文献１のリンク機構は、一方のレバーに弾性変形可能な弾性機構を一体に形成し、ピンが急変部に接触する前の時点から急変部に接触するまでの間、弾性機構が他方のレバーに当接して変形し、弾性機構の復元力によりピンがカム溝の摺動面に付勢されるようにして、ピンのがたつきによる異音の発生を防止するようにしている。
【特許文献１】特開２０００−３２２１４１号公報
【発明の開示】
【発明が解決しようとする課題】
【０００５】
ところで、車両用空調装置は、ケースに設けた位置決めピンにより駆動レバーの一方の向きへの回動範囲を制限するようにしたものがある。この場合は、駆動レバーと位置決めピンが衝突する際に打音が発生する。そして、車両用空調装置の異音の低減要求が厳しくなってきている近年においては、この駆動レバーと位置決めピンが衝突する際の打音も問題になってきている。
【０００６】
本発明は上記点に鑑みて、駆動レバーと位置決めピンが衝突する際の打音を低減することを目的とする。
【課題を解決するための手段】
【０００７】
上記目的を達成するため、請求項１に記載の発明では、ケース（２）に回動自在に装着された駆動レバー（３）と、ケース（２）に回動自在に装着されて駆動レバー（３）により駆動される従動レバー（４）とを備えるリンク機構において、ケース（２）には、駆動レバー（３）と当接することにより、駆動レバー（３）の一方の向きへの回動範囲を制限する位置決めピン（８）が設けられ、駆動レバー（３）は、位置決めピン（８）に当接する部位に、他の部位よりも容易に弾性変形する弾性変形部（３４）を備えることを特徴とする。
【０００８】
これによると、弾性変形部（３４）の弾性変形により、駆動レバー（３）と位置決めピン（８）との衝突時の衝撃が緩和または吸収されるため、駆動レバー（３）と位置決めピン（８）が衝突する際の打音を低減することができる。
【０００９】
なお、特許請求の範囲およびこの欄で記載した各手段の括弧内の符号は、後述する実施形態に記載の具体的手段との対応関係を示すものである。
【発明を実施するための最良の形態】
【００１０】
本発明の一実施形態について説明する。図１は一実施形態に係るリンク機構を用いた車両用空調装置の内外気切替箱を示す模式的な構成図、図２は図１のリンク機構を拡大して示す構成図である。
【００１１】
車両用空調装置の通風系は、大別して、送風機ユニットと、空調ユニットとの２つの部分に分かれており、それらのユニットは車室内の計器盤下方部に配置されている。送風機ユニットは、図１に示す内外気切替箱１と、この内外気切替箱１を通して空気を吸入して送風する送風機（図示せず）とから構成されている。
【００１２】
図１、図２において、内外気切替箱１のケース２は、ポリプロピレン（ＰＰ）よりなり、外気（車室外空気）を導入する外気導入口（図示せず）と、内気（車室内空気）を導入する内気導入口（図示せず）が形成されている。
【００１３】
ケース２の外部には、ポリアセタール（ＰＯＭ）よりなる駆動レバー３が配置されている。この駆動レバー３は、その一端側に設けられた軸部３１がケース２の取付穴に挿入されており、この軸部３１を中心にしてケース２に回動自在な状態で、図示しないビスとワッシャーによってケース２に取り付けられている。駆動レバー３の他端側には、ケース２側に突出する円柱状の駆動ピン３２と、反ケース側に突出する円柱状の連結ピン３３が形成されている。
【００１４】
ケース２の外部には、ポリブチレンテレフタレート（ＰＢＴ）よりなる従動レバー４が配置されている。この従動レバー４の一端側には、概略円柱状で一部に切り欠きが設けられた軸部４１が形成され、この軸部４１の周囲に複数の弾性突起片（図示せず）が形成されている。そして、ケース２の取付穴に弾性突起片を嵌合することにより、従動レバー４がケース２に回動自在に取り付けられている。
【００１５】
従動レバー４は、その長手方向中央付近から他端側にかけてカム溝４２が形成されている。そして、このカム溝４２に駆動レバー３の駆動ピン３２が摺動自在に挿入され、駆動レバー３の回動に伴い駆動ピン３２がカム溝４２内を摺動して従動レバー４を回動させるようになっている。
【００１６】
ケース２内には、内気導入口および外気導入口を切替開閉する樹脂製の内外気切替ドア５が配置されている。この内外気切替ドア５は、筒状の軸部（図示せず）が形成され、この軸部に従動レバー４の軸部４１が挿入されることにより、内外気切替ドア５と従動レバー４が一体的に回動するようになっている。そして、内外気切替ドア５の回転位置によって、内気導入口より内気を導入する内気モード、外気導入口より外気を導入する外気モード、および、内気と外気を同時に導入する内気／外気モードに切り替えられる。
【００１７】
ケース２の外部には、駆動レバー３を乗員が駆動するためのコントロールケーブル６が配置されている。このコントロールケーブル６は、いわゆるプッシュプルケーブルであり、筒状のケーブルケース６１と、このケーブルケース６１内に挿入されたインナケーブル６２とを備えている。インナケーブル６２の一端にはリング状のケーブルエンド６３が設けられており、ケーブルエンド６３に駆動レバー３の連結ピン３３が挿入されている。インナケーブル６２の他端は、車室内の計器盤に設けられた内外気切替レバーに連結されている。
【００１８】
ケーブルケース６１が金属製のクリップ７にて保持されることにより、コントロールケーブル６がケース２に固定されている。より詳細には、クリップ７には、複数の弾性突起片（図示せず）が形成されており、ケース２の取付穴に弾性突起片を嵌合することにより、クリップ７がケース２に固定されている。また、クリップ７には、２つの保持片７１（図示せず）が形成されており、保持片７１間にケーブルケース６１が挟持されている。
【００１９】
そして、乗員が内外気切替レバーを操作することにより、インナケーブル６２を介して駆動レバー３が回動され、この駆動レバー３の回動に伴って従動レバー４および内外気切替ドア５が回動されるようになっている。
【００２０】
ケース２の外部には、駆動レバー３と当接可能な位置に、円筒状の位置決めピン８が、ケース２と一体成形されて形成されている。そして、図１のように駆動レバー３が位置決めピン８に当接することにより、駆動レバー３の一方の向き（図１の紙面において反時計回りの向き）への回動範囲が制限されるようになっている。
【００２１】
駆動レバー３には、位置決めピン８と当接する部位に、駆動レバー３の他の部位（すなわち駆動レバー３の本体部）よりも容易に弾性変形する弾性変形部としての薄肉の板部３４が設けられている。この板部３４は、両端が駆動レバー３の本体部に繋がった固定ばりであり、駆動レバー３における位置決めピン８に当接する部位の近傍に長穴形状のスリット３５を設けることによって形成されている。
【００２２】
次に、上記実施形態の作動について説明する。乗員が内外気切替レバーを操作すると、インナケーブル６２を介して駆動レバー３が回動される。そして、駆動レバー３が反時計回りに回動されると、駆動ピン３２がカム溝４２内を移動して従動レバー４が時計回りに回動され、一方、駆動レバー３が時計回りに回動されると従動レバー４が反時計回りに回動され、この従動レバー４とともに内外気切替ドア５が回動される。
【００２３】
ここで、駆動レバー３が反時計回りに回動されて駆動レバー３が位置決めピン８に当接した際には、板部３４が弾性変形することにより、駆動レバー３と位置決めピン８との衝突時の衝撃が緩和または吸収されるため、駆動レバー３と位置決めピン８が衝突する際の打音が低減される。
【００２４】
なお、上記実施形態においては、板部３４は固定ばりであったが、図３に示す変型例のように、板部３４を片持ちばりにしてもよい。これによっても、駆動レバー３が位置決めピン８に当接した際には、板部３４が弾性変形することにより、駆動レバー３と位置決めピン８との衝突時の衝撃が緩和または吸収され、打音が低減される。
【００２５】
上記実施形態では、車両用空調装置における内外気切替箱１の内外気切替ドア５を操作するためのリンク機構に本発明を適用したが、本発明は、車両用空調装置における他のドアを操作するためのリンク機構にも適用することができる。また、本発明は、車両用空調装置以外の用途にも適用可能である。
【図面の簡単な説明】
【００２６】
【図１】本発明の一実施形態に係るリンク機構を用いた車両用空調装置の内外気切替箱を示す模式的な構成図である。
【図２】図１のリンク機構の構成図である。
【図３】一実施形態の変型例を示すリンク機構の構成図である。
【符号の説明】
【００２７】
２    ケース
３    駆動レバー
４    従動レバー４
８    位置決めピン
３４  板部（弾性変形部）
【図１】
2010086173.tif 000003
【図２】
2010086173.tif 000004
【図３】
2010086173.tif 000005